(57)【要約】【課題】主に自動車の電話通信等に用いられる音声入力装置に関し、コネクタの外れを防ぎ、組立てや取扱いの容易なものを提供することを目的とする。【解決手段】背面開口で略箱型のケース１１に、このケース１１の背面を覆う配線基板５背面へ突出する保持ピン１２を設けると共に、この保持ピン１２先端を、配線基板５背面の固定コネクタ７に装着された可動コネクタ４背面に当接させることによって、リード線３に多少の力が加わっても、可動コネクタ４が固定コネクタ７から外れないため、組立て時や保管・搬送時等に、誤って可動コネクタ４を外してしまうことを防ぎ、組立てや取扱いの容易な音声入力装置を得ることができる。【選択図】図１
2009239590.tif 000002
【特許請求の範囲】
【請求項１】
背面開口で略箱型のケースと、このケースに装着されると共に、延出したリード線の先端に可動コネクタが設けられたマイク素子と、上記ケースの背面を覆うと共に、背面に上記可動コネクタが装着される固定コネクタが設けられた配線基板からなり、上記ケースに上記配線基板背面へ突出する保持ピンを設けると共に、この保持ピン先端を上記可動コネクタ端面に当接させた音声入力装置。
【発明の詳細な説明】
【技術分野】
【０００１】
本発明は、主に自動車の電話通信等に用いられる音声入力装置に関するものである。
【背景技術】
【０００２】
近年、自動車内で携帯電話等を用いて通信を行う際に、手で携帯電話を持つことなく通話を行う、いわゆるハンズフリー通話を行うために、車両に音声送受信ユニットを設けると共に、車室内の所定箇所にこの通話用の音声入力装置を装着したものが増えている。
【０００３】
このような従来の音声入力装置について、図４〜図６を用いて説明する。
【０００４】
図４は従来の音声入力装置の断面図、図５は同分解斜視図、図６は同背面図であり、同図において、１は背面開口で略箱型の絶縁樹脂製のケース、２は単一指向性のマイク素子で、ケース１の前面に空隙孔が形成された略筒状の収納部１Ａ内に、マイク素子２が集音部を前面に向けて装着されると共に、マイク素子２からはリード線３が延出し、この先端には可動コネクタ４が設けられている。
【０００５】
また、５は両面に複数の配線パターン（図示せず）が形成された配線基板で、この配線基板５が複数のねじ６によって固着されて、ケース１背面を覆うと共に、配線基板５背面には固定コネクタ７や出力コネクタ８等が実装され、マイク素子２から延出したリード線３が配線基板５下方で折曲され、可動コネクタ４が固定コネクタ７に装着されている。
【０００６】
さらに、配線基板５にはオペアンプ等の電子部品が実装されて増幅回路９が形成されると共に、この増幅回路９に固定コネクタ７や出力コネクタ８等が、配線パターンを介して電気的に接続されて、音声入力装置が構成されている。
【０００７】
そして、このように構成された音声入力装置が、車室内前方の運転席近傍、例えば前窓上方に、マイク素子２の集音部を車室内に向けて装着されると共に、配線基板５から延出した出力コネクタ８が、車両の音声送受信ユニット（図示せず）に電気的に接続される。
【０００８】
以上の構成において、電話がかかってきた場合には、これを携帯電話や音声送受信ユニットが受信して、車室内のスピーカから相手の音声が出力され、これに応答する車室内の運転者や同乗者の音声は、マイク素子２から入力され増幅回路９で増幅されて、音声送受信ユニットや携帯電話から相手に送信される。
【０００９】
つまり、車室内に音声入力装置を設け、これによって車室内の音声を集音して送受信を行うことで、手で携帯電話等を持つことなく、ハンズフリーの状態で通信先の相手との通話を行うことが可能なように構成されているものであった。
【００１０】
なお、この出願の発明に関連する先行技術文献情報としては、例えば特許文献１が知られている。
【特許文献１】特開２００７−２８１６３９号公報
【発明の開示】
【発明が解決しようとする課題】
【００１１】
しかしながら、上記従来の音声入力装置においては、マイク素子２から延出したリード線３が配線基板５下方で折曲され、この先端の可動コネクタ４が固定コネクタ７に装着されているため、組立て時に配線基板５をケース１に固着する際や、あるいは装置の保管や搬送時等に、誤ってリード線３に指や工具等を引掛け、可動コネクタ４が固定コネクタ７から外れてしまう場合がある。
【００１２】
したがって、こうした可動コネクタ４の外れを防ぐために、固定コネクタ７に装着した後、接着剤等によって可動コネクタ４を配線基板５に固着する等の対策が必要となり、製作に手間がかかり、高価なものになってしまうという課題があった。
【００１３】
本発明は、このような従来の課題を解決するものであり、コネクタの外れを防ぎ、組立てや取扱いの容易な音声入力装置を提供することを目的とする。
【課題を解決するための手段】
【００１４】
上記目的を達成するために本発明は、背面開口で略箱型のケースに、このケースの背面を覆う配線基板背面へ突出する保持ピンを設けると共に、この保持ピン先端を、配線基板背面の固定コネクタに装着された可動コネクタ端面に当接させて音声入力装置を構成したものであり、可動コネクタ端面に当接した保持ピンによって、リード線に多少の力が加わっても、可動コネクタが固定コネクタから外れないため、組立て時や保管・搬送時等に、誤って可動コネクタを外してしまうことを防ぎ、組立てや取扱いの容易な音声入力装置を得ることができるという作用を有するものである。
【発明の効果】
【００１５】
以上のように、本発明によれば、コネクタの外れを防ぎ、組立てや取扱いの容易な音声入力装置を実現することができるという有利な効果が得られる。
【発明を実施するための最良の形態】
【００１６】
以下、本発明の実施の形態について、図１〜図３を用いて説明する。
【００１７】
なお、背景技術の項で説明した構成と同一構成には同一符号を付して、詳細な説明を簡略化する。
【００１８】
（実施の形態）
図１は本発明の一実施の形態による音声入力装置の断面図、図２は同分解斜視図、図３は同背面図であり、同図において、１１は背面開口で略箱型のＡＢＳやポリプロピレン等の絶縁樹脂製のケースで、前面内方には空隙孔が形成された略筒状の収納部１１Ａが設けられている。
【００１９】
そして、２は略円柱状でコンデンサ型の単一指向性のマイク素子で、このマイク素子２がケース１１の収納部１１Ａ内に、集音部を前面に向けて装着されると共に、マイク素子２からはリード線３が延出し、この先端には可動コネクタ４が設けられている。
【００２０】
また、５は紙フェノールやガラス入りエポキシ樹脂等の配線基板で、両面には銅箔等によって複数の配線パターン（図示せず）が形成されると共に、この配線基板５が複数のねじ６によって固着されて、ケース１１背面を覆っている。
【００２１】
そして、配線基板５背面には固定コネクタ７や出力コネクタ８等が実装されると共に、マイク素子２から延出したリード線３が配線基板５下方で折曲され、可動コネクタ４が固定コネクタ７に下方から挿入装着されている。
【００２２】
さらに、ケース１１の収納部１１Ａ下方には、背面方向へ突出する保持ピン１２が形成され、この保持ピン１２が挿通孔５Ａを通って配線基板５背面から突出すると共に、先端が可動コネクタ４下面に当接している。
【００２３】
また、配線基板５にはオペアンプ等の電子部品が実装されて増幅回路９が形成されると共に、この増幅回路９に固定コネクタ７や出力コネクタ８等が、配線パターンを介して電気的に接続されて、音声入力装置が構成されている。
【００２４】
そして、このように構成された音声入力装置が、車室内前方の運転席近傍、例えば前窓上方に、マイク素子２の集音部を車室内に向けて装着されると共に、配線基板５から延出した出力コネクタ８が、車両の音声送受信ユニット（図示せず）に電気的に接続される。
【００２５】
以上の構成において、電話がかかってきた場合には、これを携帯電話や音声送受信ユニットが受信して、車室内のスピーカから相手の音声が出力され、これに応答する車室内の運転者や同乗者の音声は、マイク素子２から入力され増幅回路９で増幅されて、音声送受信ユニットや携帯電話から相手に送信される。
【００２６】
つまり、車室内に音声入力装置を設け、これによって車室内の音声を集音して送受信を行うことで、手で携帯電話等を持つことなく、ハンズフリーの状態で通信先の相手との通話を行うことが可能なように構成されている。
【００２７】
また、上述したように、音声入力装置のケース１１には、配線基板５背面から突出する保持ピン１２が形成され、この保持ピン１２が固定コネクタ７に装着された可動コネクタ４下面に当接しているため、リード線３が下方向に引っ張られ、可動コネクタ４に抜き方向の力が加わった場合でも、可動コネクタ４下面が保持ピン１２先端に当たって抜けを防ぎ、可動コネクタ４が固定コネクタ７から外れないようになっている。
【００２８】
すなわち、配線基板５背面から突出した保持ピン１２先端を、可動コネクタ４下面に当接させることによって、組立て時に配線基板５をケース１１に固着する際や、あるいは装置の保管や搬送時等に、誤ってリード線３に指や工具等を引掛け、可動コネクタ４に下方向の力が加わった場合でも、可動コネクタ４の外れを防止できる構成となっているため、接着剤等によって可動コネクタ４を配線基板５に固着する等の対策が不要となり、容易に製作を行うことが可能なように形成されている。
【００２９】
なお、以上の説明では、リード線３が配線基板５下方で折曲され、この先端の可動コネクタ４が下方から固定コネクタ７に装着された状態で、保持ピン１２先端を可動コネクタ４下面に当接させた構成について説明したが、可動コネクタ４の固定コネクタ７への装着方向が上方向の場合には、保持ピン１２を可動コネクタ４上面に、装着方向が左右方向の場合には、保持ピン１２を可動コネクタ４の左右面にというように、固定コネクタ７へ装着する方向と逆の可動コネクタ４端面に、保持ピン１２を各々当接させた構成としても、本発明の実施は可能であり同様の効果を得ることができる。
【００３０】
このように本実施の形態によれば、背面開口で略箱型のケース１１に、このケース１１の背面を覆う配線基板５背面へ突出する保持ピン１２を設けると共に、この保持ピン１２先端を、配線基板５背面の固定コネクタ７に装着された可動コネクタ４端面に当接させることによって、リード線３に多少の力が加わっても、可動コネクタ４が固定コネクタ７から外れないため、組立て時や保管・搬送時等に、誤って可動コネクタ４を外してしまうことを防ぎ、組立てや取扱いの容易な音声入力装置を得ることができるものである。
【産業上の利用可能性】
【００３１】
本発明による音声入力装置は、コネクタの外れを防ぎ、組立てや取扱いの容易なものを得ることができ、主に自動車の電話通信用として有用である。
【図面の簡単な説明】
【００３２】
【図１】本発明の一実施の形態による音声入力装置の断面図
【図２】同分解斜視図
【図３】同背面図
【図４】従来の音声入力装置の断面図
【図５】同分解斜視図
【図６】同背面図
【符号の説明】
【００３３】
２  マイク素子
３  リード線
４  可動コネクタ
５  配線基板
６  ねじ
７  固定コネクタ
８  出力コネクタ
９  増幅回路
１１  ケース
１１Ａ  収納部
１２  保持ピン
【図１】
2009239590.tif 000003
【図２】
2009239590.tif 000004
【図３】
2009239590.tif 000005
【図４】
2009239590.tif 000006
【図５】
2009239590.tif 000007
【図６】
2009239590.tif 000008